(57)【要約】【課題】天井面および商品棚へ適正な光を照射できる照明器具を提供する。【解決手段】上方照射用ＬＥＤ光源２１は拡散レンズ２２を有するので、上方への照射光は広い範囲の天井面１１へ照射され、空間全体の明るさ感を増すことができる。また、下方照射用ＬＥＤ光源２３は狭角レンズ２４を有するので、下方への照射光は狙った狭い範囲に照射され、下方にある例えば商品棚１３の間の通路は照らさず、商品棚１３の商品等を明るく照らすことができる。【選択図】図２
2012113855.tif 000002
【特許請求の範囲】
【請求項１】
上方照射用ＬＥＤ光源と、
下方照射用ＬＥＤ光源と、を有し、
前記上方照射用ＬＥＤ光源は拡散レンズを有するとともに、
前記下方照射用ＬＥＤ光源は狭角レンズを有する照明器具。
【請求項２】
請求項１に記載の照明器具において、
前記上方照射用ＬＥＤ光源の拡散レンズおよび前記下方照射用ＬＥＤ光源の狭角レンズはスプレッドレンズである照明器具。
【請求項３】
請求項１または請求項２に記載の照明器具において、
前記上方照射用ＬＥＤ光源および前記下方照射用ＬＥＤ光源が各々複数設けられ、
前記上方照射用ＬＥＤ光源および前記下方照射用ＬＥＤ光源が各々長手方向中央を軸にして対象に設けられている照明器具。
【請求項４】
請求項１ないし請求項３のうちのいずれか１項に記載の照明器具において、
前記下方照射用ＬＥＤ光源の照射角度よりも前記上方照射用ＬＥＤ光源の照射角度の方が大きい照明器具。
【発明の詳細な説明】
【技術分野】
【０００１】
本発明は、上方照射用のＬＥＤ光源と、下方照射用のＬＥＤ光源を有する照明器具に関するものである。
【背景技術】
【０００２】
従来より、上方照射用のＬＥＤ光源と、下方照射用のＬＥＤ光源を有する照明器具が知られている（例えば、特許文献１参照）。
図４に示すように、前述した特許文献１に記載の照明器具１００は、例えばオフィス等において天井や壁面などの周囲を均一に明るくするアンビエント照明を担う吊り下げ型の照明器具である。この照明器具１００は、天井面１０１に支柱等の吊り下げ部材１０２を用いて吊り下げ設置されている。
【０００３】
照明器具１００は、天井面１０１に光を照射する天井照射用ＬＥＤモジュール１０３と、この天井照射用ＬＥＤモジュール１０３より下側に光を照射する下方照射用ＬＥＤモジュール１０４とを具備する。そして、下方照射用ＬＥＤモジュール１０４の照射方向前方を覆うように、平板状の光拡散部材１０５を有する。
【０００４】
そして、天井照射用ＬＥＤモジュール１０３の発光効率を下方照射用ＬＥＤモジュール１０４の発光効率より高くするとともに、下方照射用ＬＥＤモジュール１０４の平均演色評価数を天井照射用ＬＥＤモジュール１０３の平均演色評価数より大きくして、消費電力を抑制しつつ照明エリアに所要の明るさと演色性を与えるアンビエント照明を実現している。
【先行技術文献】
【特許文献】
【０００５】
【特許文献１】特開２００８−７７９７９号公報（第１図）
【発明の概要】
【発明が解決しようとする課題】
【０００６】
しかしながら、店舗空間においては，商品棚の占める割合が高く、天井と商品棚を効率よく照射することが求められており、前述したような従来の上下配光の器具では商品棚への照射光が不十分であるという問題があった。
また、商品棚に設ける照明器具では、商品棚の照射光は十分であるが、天井面への照射光が不十分で全体として暗い感じがするという問題があった。
【０００７】
本発明は、従来の問題を解決するためになされたもので、天井面および商品棚へ適正な光を照射できる照明器具を提供することを目的とする。
【課題を解決するための手段】
【０００８】
本発明の照明器具は、上方照射用ＬＥＤ光源と、下方照射用ＬＥＤ光源と、を有し、前記上方照射用ＬＥＤ光源は拡散レンズを有するとともに、前記下方照射用ＬＥＤ光源は狭角レンズを有するものである。
【０００９】
また、本発明の照明器具は、前記上方照射用ＬＥＤ光源の拡散レンズおよび前記下方照射用ＬＥＤ光源の狭角レンズはスプレッドレンズであるものである。
【００１０】
また、本発明の照明器具は、前記上方照射用ＬＥＤ光源および前記下方照射用ＬＥＤ光源が各々複数設けられ、前記上方照射用ＬＥＤ光源および前記下方照射用ＬＥＤ光源が各々長手方向中央を軸にして対象に設けられているものである。
【００１１】
さらに、本発明の照明器具は、前記下方照射用ＬＥＤ光源の照射角度よりも前記上方照射用ＬＥＤ光源の照射角度の方が大きいものである。
【発明の効果】
【００１２】
本発明は、上方照射用ＬＥＤ光源は拡散レンズを有するので、上方への照射光は広い範囲の天井面へ照射され、空間全体の明るさ感を増すことができる。また、下方照射用ＬＥＤ光源は狭角レンズを有するので、下方への照射光は狙った狭い範囲に照射され、下方にある商品棚の商品等を明るく照らすことができるという効果を有する照明器具を提供できる。
【図面の簡単な説明】
【００１３】
【図１】本発明に係る第１実施形態の照明器具の使用状態および光線の広がりを示す構成図
【図２】本発明に係る第１実施形態の照明器具の構成図
【図３】（Ａ）は第２実施形態の照明器具の正面図であり、（Ｂ）は側面図であり、（Ｃ）は底面図
【図４】上方照射用のＬＥＤ光源と下方照射用のＬＥＤ光源とを有する従来の照明器具の断面図
【発明を実施するための形態】
【００１４】
（第１実施形態）
以下、本発明に係る第１実施形態の照明器具について、図面を用いて説明する。
図１に示すように、本発明に係る第１実施形態の照明器具１０は、例えば天井面１１から吊下装置１２で吊り下げて、上方の天井面１１および下方の商品棚１３等を照明するのに用いることができる。なお、吊下装置１２は、照明器具１０を昇降可能に吊り下げるものが望ましい。
【００１５】
図２に示すように、照明器具１０は、吊下装置１２に吊り下げられる器具本体２０を有する。器具本体２０は，例えば全体菱形断面を有し、商品棚１３等に沿って（図２紙面直交方向に）長いものである。
器具本体２０の内部の中央上部には、吊下装置１２に対して左右両側に上方照射用ＬＥＤ光源２１，２１を有し、上方照射用ＬＥＤ光源２１の照射方向前方には、各々拡散レンズとしてのスプレッドレンズ２２が設けられている。
上方照射用ＬＥＤ光源２１は器具本体２０の長手方向（図２紙面直交方向に）に沿って、所定間隔で複数個設けられており、長手方向中央を軸にして対象に設けられている。また、スプレッドレンズ２２は、長手方向に略全長にわたって設けられている。
【００１６】
また、器具本体２０の内部の中央下部には、左右両側に下方照射用ＬＥＤ光源２３，２３を有し、下方照射用ＬＥＤ光源２３の照射方向前方には狭角レンズ２４が配設され、さらに狭角レンズ２４の前方に、各々スプレッドレンズ２５が設けられている。下方照射用ＬＥＤ光源２３および狭角レンズ２４は、器具本体２０の長手方向に沿って所定間隔で複数個設けられており、長手方向中央を軸にして対象に設けられている。また、スプレッドレンズ２５は、長手方向に略全長にわたって設けられている。
【００１７】
上方照射用ＬＥＤ光源２１の光軸Ｌ１の鉛直線に対する照射角度θ１は、下方照射用ＬＥＤ光源２３の光軸Ｌ２の鉛直線に対する照射角度θ２よりも大きい。すなわち、θ１＞θ２であり、上方照射用ＬＥＤ光源２１の光軸Ｌ１は下方照射用ＬＥＤ光源２３の光軸Ｌ２より水平方向へ近く設けられて拡がっている。
【００１８】
従って、図１および図２に示すように、上方照射用ＬＥＤ光源２１から外向きに発せられた光Ｌ１は、鉛直上方に対して拡がる方向へ発せられるとともに、スプレッドレンズ２２により拡散して、天井面１１を広く照らす。
【００１９】
一方、下方照射用ＬＥＤ光源２３から発せられた光Ｌ２は、鉛直下方に近い方向へ発せられて狭角レンズ２４により集光されて、スプレッドレンズ２５に入射する。スプレッドレンズ２５では、光Ｌ２を拡散して下方へ照射する。このように、一旦集光させるため指向性が一層強くなり、所望の方向へ正確に向けることができる。そして、集光した光をスプレッドレンズ２５により拡散するので、狙った方向で上下方向へ拡散することにより，商品棚１３の全高に光を照射する。
【００２０】
以上、説明した本発明に係る第１実施形態の照明器具１０によれば、上方照射用ＬＥＤ光源２１はスプレッドレンズ２２を有するので、上方への照射光は広い範囲の天井面１１へ照射され、空間全体の明るさ感を増すことができる。
また、下方照射用ＬＥＤ光源２３は狭角レンズを有するので、下方への照射光は狙った狭い範囲に照射され、下方にある商品棚１３の間の通路は照らさず商品棚１３の商品等を明るく照らすことができる。
【００２１】
また、上方照射用ＬＥＤ光源２１および下方照射用ＬＥＤ光源２３が各々長手方向に複数設けられ、長手方向中央を軸にして対象に設けられているので、長手方向の広がり感を増すことができる。
【００２２】
さらに、下方照射用ＬＥＤ光源２３の照射角度θ２よりも、上方照射用ＬＥＤ光源２１の照射角度θ１の方が大きいので、上方への光をより拡散させることができる。
【００２３】
（第２実施形態）
次に、本発明に係る第２実施形態の照明器具について、図面を用いて説明する。なお、前述した第１実施形態にかかる照明器具１０と共通する部位には同じ符号を付して、重複する説明を省略することとする。
【００２４】
図３に示すように、第２実施形態の照明器具１０Ｂでは、上方照射用ＬＥＤ光源２１の拡散レンズとしてスプレッドレンズ２６を用いるとともに、下方照射用ＬＥＤ光源２３の狭角レンズとしてスプレッドレンズ２７を用いている。器具本体２０Ｂは、菱形の枠状をした内枠２０１および外枠２０２から構成される。
【００２５】
上方照射用ＬＥＤ光源２１は、上側の内枠２０１の外側面に、外向きに取り付けられ、上方照射用ＬＥＤ光源２１に対向する上側の外枠２０２にスプレッドレンズ２６が取り付けられる。
また、下方照射用ＬＥＤ光源２３は、下側の内枠２０１の外側面に、外向きに取り付けられ、下方照射用ＬＥＤ光源２３に対向する下側の外枠２０２にスプレッドレンズ２７が取り付けられる。
【００２６】
なお、天井面１１の取付孔１１１には埋込本体２８が埋め込んで取り付けられており、埋込本体２８の内部には、上方照射用ＬＥＤ光源２１および下方照射用ＬＥＤ光源２３に電力を供給する電源ユニット２９が収容されている。
【００２７】
図３（Ａ）に示すように、上方照射用ＬＥＤ光源２１に対向するスプレッドレンズ２６に形成されているプリズムの向きは、菱形の辺に沿った向きに配置されている。また、下方照射用ＬＥＤ光源２３に対向するスプレッドレンズ２７のプリズムの向きは、器具本体２０Ｂの長手方向に沿って配置されている。
【００２８】
従って、上方照射用ＬＥＤ光源２１から斜め上方に発せられた光は、スプレッドレンズ２６によって長手方向へ拡散される。
一方、下方照射用ＬＥＤ光源２３から斜め下方に発せられた光は、スプレッドレンズ２７によって器具本体２０Ｂの断面方向に拡散する。
【００２９】
以上、説明した本発明に係る第２実施形態の照明器具１０Ｂによれば、前述した第１実施形態の照明器具１０と同様の作用・効果を得ることができる。
【００３０】
また、上方照射用ＬＥＤ光源２１の前に拡散レンズとして設けたスプレッドレンズ２６により光を長手方向に拡散し、下方照射用ＬＥＤ光源２３の前に設けたスプレッドレンズ２７により光を断面方向に拡散するので、上方を広く照らすとともに、下方の所望の範囲を明るく照らすことができる。
【００３１】
なお、本発明の照明器具は、前述した各実施形態に限定されるものでなく、適宜な変形，改良等が可能である。
すなわち、前述した実施形態においては、上方照射用ＬＥＤ光源２１に対向するスプレッドレンズ２６のプリズムの向きを、菱形の辺に沿った向きとし、下方照射用ＬＥＤ光源２３に対向するスプレッドレンズ２７のプリズムの向きは、器具本体２０Ｂの長手方向に沿って配置した場合について例示したが、本発明はこれに限るものではない。スプレッドレンズの向きを種々に変えることにより、時と場所に適応した配光を得ることができる。
【符号の説明】
【００３２】
１０，１０Ｂ  照明器具
２１  上方照射用ＬＥＤ光源
２２，２６  スプレッドレンズ（拡散レンズ）
２３  下方照射用ＬＥＤ光源
２４  狭角レンズ
２７  スプレッドレンズ（狭角レンズ）
θ１，θ２  照射角度
【図１】
2012113855.tif 000003
【図２】
2012113855.tif 000004
【図３】
2012113855.tif 000005
【図４】
2012113855.tif 000006